(57)【特許請求の範囲】
【請求項１】
患者動物を収容可能な集中治療室と、
前記集中治療室内の雰囲気の酸素濃度を計測する酸素濃度センサと、
酸素ボンベから供給される酸素のみ含むガス、又は、酸素濃縮器から供給される周辺大気よりも酸素濃度が高いガスを前記集中治療室に対して供給すると共に、電磁弁が設けられたガス供給路と、
前記集中治療室の使用開始時から所定時間の間、前記ガスを前記酸素濃縮器のみから前記集中治療室に対して供給するように前記電磁弁を作動させ、前記所定時間の経過時に前記酸素濃度センサによる酸素濃度の計測値があらかじめ設定された設定値以下のときに、  前記ガスを前記酸素ボンベのみ、又は、前記酸素濃縮器と前記酸素ボンベとの双方から前記集中治療室に対して供給するように前記電磁弁を作動させる酸素濃縮器優先制御を行うことが可能な制御ユニットとを有することを特徴とする動物用集中治療装置。
【請求項２】
前記制御ユニットは、前記集中治療室の使用開始時から前記酸素濃度センサによる酸素濃度の計測値が前記設定値に達するまで、前記ガスを前記酸素ボンベのみから前記集中治療室に対して供給するように前記電磁弁を作動させる酸素ボンベ優先制御と、前記酸素濃縮器優先制御とを選択的に実行可能であることを特徴とする請求項１に記載の動物用集中治療装置。
【請求項３】
前記制御ユニットは、前記集中治療室内の雰囲気の酸素濃度が前記設定値に達した後に、前記設定値から算出される所定値に満たないときに、前記ガスを前記酸素濃縮器のみから前記集中治療室に対して供給するように前記電磁弁を作動させる酸素補給制御を行うことを特徴とする請求項１又は請求項２に記載の動物用集中治療装置。
【発明の詳細な説明】
【技術分野】
【０００１】
本発明は、動物用集中治療装置に関し、特に、酸素供給用に酸素ボンベと酸素濃縮器とを選択的に、又は、同時に使用できる構成を有する動物用集中治療装置に関する。
【背景技術】
【０００２】
動物病院で使用する動物用集中治療装置は、症状が重い、又は、手術直後のイヌやネコ、サル、フェレットなどの患者動物を収容し、経過を観察し、投薬等を行う集中治療室として使用されるものである。一般的に、ステンレス鋼などを用いて堅牢に形成されており、手前側に開閉扉を設けている。さらに、集中治療室内の雰囲気の酸素濃度を高く保つためのガス供給路や、雰囲気の温度管理のための空気調和装置などを備えている。
【０００３】
図９は、従来技術に係る動物用集中治療装置の斜視図である。図９において、９０は動物用集中治療装置、９１はＡ室、９１ａは開閉扉、９２はＢ室、９２ａは開閉扉、９３はＣ室、９３ａは開閉扉、９４は制御・空調ユニット室、９５は開閉扉、９６は操作パネル、９７は酸素供給管理パネル、９８は酸素濃縮器管路接続口、９９は酸素ボンベ管路接続口である。
【０００４】
図９は、特開２０１４−５７７７４公報において開示されている動物用集中治療装置である。動物用集中治療装置９０は、集中治療室であるＡ室９１、Ｂ室９２及びＣ室９３に対して、制御・空調ユニット室９４内に設けた酸素供給等の制御ユニット、空気調和機器、酸素供給機器が個別に酸素供給や空気調和を行えるようにしたものである。手前側に設けた開閉扉９１ａ、９２ａ及び９３ａ開閉して患者動物を収容したり治療を行ったりする。また、室温等の設定は操作パネル９６で行うことができ、さらに各集中治療室の室温や設定値を表示させることもできる。同様に、各集中治療室に対する酸素供給の状態は酸素供給管理パネル９７で確認できる。また、開閉扉９５を開いて内部に設けた機器のメンテナンスを行うことが可能である。以上の構成によれば、操作パネル９６及び酸素供給管理パネル９７を適宜操作することによって、Ａ室９１、Ｂ室９２及びＣ室９３内の温度又は酸素濃度を個別に設定でき、さらに、室温等の情報も適宜把握することも可能である。また、各集中治療室に酸素を供給する場合の供給源は、酸素濃縮器管路接続口９８及び酸素ボンベ管路接続口９９を介して接続された図示していない酸素濃縮器及び酸素ボンベ酸素であり、操作パネル９６を操作して酸素ボンベと酸素濃縮器とのいずれかを適宜選択することができる。
【０００５】
以上のように患者動物の状態に応じて適切な治療を行える環境を整えても、外部装置の影響によってその機能を十分に発揮できない場合がある。すなわち、酸素濃縮器には、仕様書通りに酸素濃縮をできないものがある。また、酸素濃縮器を継続的に使用している間に窒素ガスの吸着剤の吸着能が低下するなどして、集中治療室内の雰囲気の酸素濃度を維持できなくなるものがある。さらに、たとえば、集中治療室内の雰囲気の酸素濃度を３０％に維持する場合には問題なく使用できるが、４０％に上昇させようとすると何時間たっても４０％に到達しないなど、酸素濃縮器自体に様々な問題を生じることがある。
【０００６】
獣医師は、このように酸素濃縮器自体に問題を生じる、又は、問題を生じることが予見され、酸素濃縮器を十分信頼できない状況になると、動物用集中治療装置への酸素供給源として酸素ボンベを選択せざるを得なくなる。しかし、酸素ボンベは、単位量当たりの酸素ガスのコストが酸素濃縮器よりも相当高額になる。したがって、酸素ボンベだけを使用し続けると、患者動物の治療に係るコストも増大することになる。
【先行技術文献】
【特許文献】
【０００７】
【特許文献１】特開２０１４−５７７７４公報
【発明の概要】
【発明が解決しようとする課題】
【０００８】
本発明は、上記課題を解決するために、酸素濃縮器の酸素供給能力の不足を酸素ボンベによって適宜補うことによって酸素濃縮器の能力を最大限に活用でき、かつ、集中治療室内の雰囲気の酸素濃度を適切に維持することが可能な動物用集中治療装置を提供することを目的とする。
【課題を解決するための手段】
【０００９】
請求項１に記載の発明は、  患者動物を収容可能な集中治療室と、前記集中治療室内の雰囲気の酸素濃度を計測する酸素濃度センサと、酸素濃縮器又は酸素ボンベから供給される酸素のみ含む又は周辺大気よりも酸素濃度が高いガスを前記集中治療室に対して供給すると共に、電磁弁が設けられたガス供給路と、前記集中治療室の使用開始時から所定時間の間、前記ガスを前記酸素濃縮器のみから前記集中治療室に対して供給するように前記電磁弁を作動させ、前記所定時間の経過時に前記酸素濃度センサによる酸素濃度の計測値があらかじめ設定された設定値以下のときに、前記ガスを前記酸素ボンベのみ、又は、前記酸素濃縮器と前記酸素ボンベとの双方から前記集中治療室に対して供給するように前記電磁弁を作動させる酸素濃縮器優先制御を行うことが可能な制御ユニットとを有することを特徴とする動物用集中治療装置。
である。
【００１０】
請求項２に記載の発明は、請求項１に記載の発明において、前記制御ユニットは、前記酸素濃度センサによる酸素濃度の計測値が前記設定値に達するまで、前記ガスを前記酸素ボンベのみから前記集中治療室に対して供給するように前記電磁弁を作動させる酸素ボンベ優先制御と、前記酸素濃縮器優先制御とを選択的に実行可能であることを特徴とする動物用集中治療装置である。
【００１１】
請求項３に記載の発明は、請求項１又は請求項２に記載の発明において、前記制御ユニットは、前記集中治療室内の雰囲気の酸素濃度が前記設定値に達した後に、前記設定値から算出される所定値以下になったときに、前記ガスを前記酸素濃縮器のみから前記集中治療室に対して供給するように前記電磁弁を作動させる酸素補給制御を行うことを特徴とする動物用集中治療装置である。
【００１２】
請求項４に記載の発明は、請求項３に記載の発明において、前記制御ユニットは、前記酸素濃度センサによる酸素濃度の計測値が前記設定値から算出される別の所定値以下になった、又は、前記酸素補給制御を開始から前記所定時間の経過時の前記酸素濃度センサによる酸素濃度の計測値が前記酸素補給制御の開始前の計測値と同じであるときに、前記ガスを前記酸素ボンベのみから前記集中治療室に対して供給するように前記電磁弁を作動させる酸素補給制御を行うことを特徴とする動物用集中治療装置である。
【発明の効果】
【００１３】
請求項１に記載の発明によれば、集中治療室の使用開始時に、酸素濃縮器のみから酸素のみ含む又は周辺大気よりも酸素濃度が高いガスを集中治療室に対して供給し、所定時間の経過時に酸素が不足しているときに、酸素ボンベのみ又は酸素濃縮器と酸素ボンベとの双方による供給に切り替えるので、酸素濃縮器をその供給能力の及ぶ範囲で使用し、その供給能力が不足している部分を酸素ボンベで補うことが可能となる。ひいては、酸素ボンベの酸素ガスの使用量を低減することができる。
【００１４】
請求項２に記載の発明によれば、酸素濃縮器をその供給能力の及ぶ範囲で活用することだけでなく、集中治療室内の雰囲気の酸素濃度をできる限り短時間で設定値まで上昇させる使用する即時性を優先した使用もできるようなる。
【００１５】
請求項３に記載の発明によれば、集中治療室内の雰囲気の酸素濃度が低下したときに、酸素濃縮器から酸素を供給するので、集中治療室を長時間継続的に使用する場合においても、酸素ボンベによる酸素供給を抑えて患者動物の治療に係るコストを低減することができる。
【００１６】
請求項４に記載の発明によれば、集中治療室内の雰囲気の酸素濃度が低下した場合において、酸素濃縮器からの酸素供給が不十分なときに酸素ボンベから酸素を供給するので、集中治療室内の雰囲気の酸素濃度を適切に維持することが可能となる。
【図面の簡単な説明】
【００１７】
【図１】第１の実施の形態に係る動物用集中治療装置における酸素供給動作の説明図である。
【図２】第１の実施の形態に係る動物用集中治療装置の酸素供給に関連する構成品のブロック図である。
【図３】第１の実施の形態に係る動物用集中治療装置の酸素供給以外の構成品のブロック図である。
【図４】第１の実施の形態に係る動物用集中治療装置の酸素供給手順を示すフロー図（１）である。
【図５】第１の実施の形態に係る動物用集中治療装置の酸素供給手順を示すフロー図（２）である。
【図６】第１の実施の形態に係る動物用集中治療装置の酸素供給手順を示すフロー図（３）である。
【図７】第１の実施の形態に係る動物用集中治療装置の酸素供給手順を示すフロー図（４）である。
【図８】第２の実施の形態に係る動物用集中治療装置の酸素供給に関連する構成品のブロック図である。
【図９】従来技術に係る動物用集中治療装置の斜視図である。
【発明を実施するための形態】
【００１８】
図１は、第１の実施の形態に係る動物用集中治療装置における酸素供給動作の説明図である。図１において、８１は酸素供給動作、８２はハイブリッドモード、８３はアクティブモード、８４はノーマルモード、８５はマニュアルモード、８６は酸素濃縮器使用、８７は酸素ボンベ使用である。
【００１９】
まず、本発明の第１の実施の形態に係る動物用集中治療装置の酸素供給動作について説明する。図１に示すように、この実施の形態に係る動物用集中治療装置における酸素供給動作８１は、ハイブリッドモード８２とマニュアルモード８５で動作する。ハイブリッドモード８２は、酸素供給器と酸素ボンベを併用する動作であり、さらにアクティブモード８３とノーマルモード８４の２種類を備えている。アクティブモード８３は、後述するように、集中治療室内の雰囲気の酸素濃度を設定値、又は、この設定値に非常に近い濃度に継続的に維持することを優先する動作を行う。アクティブモード８３では、主に酸素ボンベによって酸素供給を行うが、状況に応じて酸素濃縮器からの酸素供給に切り替えて酸素ガスのコストを低減するようにしている。ノーマルモード８４は、主に濃縮器によって酸素供給を行い、集中治療室内の雰囲気の酸素濃度を設定値まで高める上で酸素濃縮器の酸素供給能力が不足するときに、酸素濃縮器からの酸素供給に切り替える動作を行う。マニュアルモード８５は、手動によって動作を指定するものであり、酸素濃縮器のみで酸素供給を行う酸素濃縮器使用８６と、酸素ボンベのみで酸素供給を行う酸素ボンベ使用８７の２種類の動作を指定することが可能である。なお、この実施の形態に係る動物用集中治療装置では、酸素濃縮器と酸素ボンベを併用するが、酸素濃縮器と酸素ボンベから同時に酸素供給を行うことはできない。また、この実施の形態に係る動物用集中治療装置の外観は、図９に示すものとしてもよいし、動物用集中治療室としての機能を備え、かつ、以下に述べる各種の動作を実行可能あればどのような外観であってもよい。
【００２０】
図２は、第１の実施の形態に係る動物用集中治療装置の酸素供給に関連する構成品のブロック図である。図２において、１０は動物用集中治療装置、１１はＡ室、１２はＢ室、１３はＣ室、２０は電磁三方弁、２１、２２及び２３は電磁閉止弁、２４は電磁開放弁、２５はスピードコントローラ、３０は制御ユニット、３１、３２及び３３は酸素濃度センサ、３５は酸素濃縮器、３６は酸素ボンベ、３７及び３８は管路、３９ａは分岐管路、３９ｂ、３９ｃ及び３９ｄは管路である。また、図３は、第１の実施の形態に係る動物用集中治療装置の酸素供給以外の構成品のブロック図である。図３において、７０は酸素供給管理パネル、７１は操作パネル、７２はＡ室温度・湿度センサ、７３はＢ室温度・湿度センサ、７４はＣ室温度・湿度センサ、７５はＡ室用空調ユニット、７６はＢ室用空調ユニット、７７はＣ室用空調ユニット、７８はＡ室用ヒータ、７９はＢ室用ヒータ、８０はＣ室用ヒータであり、その他の符号は図２と同じものを示す。
【００２１】
本発明の第１の実施の形態に係る動物用集中治療装置１０は、集中治療室であるＡ室１１、Ｂ室１２及びＣ室１３が設けられている。Ａ室１１、Ｂ室１２及びＣ室１３に対しては、酸素濃縮器３５又は酸素ボンベ３６から酸素ガス、又は、周辺大気よりも酸素濃度が高いガスが供給される。さらに、Ａ室１１、Ｂ室１２とＣ室１３に対して、酸素濃度センサ３１、酸素濃度センサ３２と酸素濃度センサ３３をそれぞれ設けており、Ａ室１１、Ｂ室１２とＣ室１３内の雰囲気の酸素濃度を制御ユニット３０において常時検出できるようにしている。また、酸素濃縮器３５からＡ室１１、Ｂ室１２及びＣ室１３に対して供給されるガスは、酸素濃縮器３５から管路３７、管路３９ａの順に流れ、さらに管路３９ａから管路３９ｂ、管路３９ｃと管路３９ｄの３本に分岐して流れる。酸素ボンベ３６からＡ室１１、Ｂ室１２及びＣ室１３に対して供給されるガスは、酸素ボンベ３６から管路３８、管路３９ａの順に流れ、さらに管路３９ａから管路３９ｂ、管路３９ｃと管路３９ｄの３本に分岐して流れる。
【００２２】
酸素濃縮器３５は、ＰＳＡ式（Ｐｒｅｓｓｕｒｅ  Ｓｗｉｎｇ  Ａｄｓｏｒｐｔｉｏｎ式）と呼ばれているゼオライトを使用して最高９０％程度の濃度の酸素ガスを供給できる方式のものが一般的に使用されるが、この方式に限られるものではなく、Ａ室１１、Ｂ室１２及びＣ室１３内の雰囲気の酸素濃度を３０％〜４０％に維持できる、すなわち、集中治療室内の雰囲気の酸素を酸素療法に適した濃度にできるものであれば、他方式のものであってもよい。もちろん、Ａ室１１、Ｂ室１２及びＣ室１３内の雰囲気の酸素濃度を４０％以上の濃度に維持できるものであってもよい。この実施の形態に係る動物用集中治療装置１０においては、Ａ室１１、Ｂ室１２及びＣ室１３のいずれかの集中治療室を使用している間、原則として酸素濃縮器３５の運転を継続する。また、この実施の形態に係る動物用集中治療装置１０では、酸素濃縮器３５及び酸素ボンベ３６を動物用集中治療装置１０の筐体の外部に配置するが、筐体内に酸素濃縮器３５又は酸素ボンベ３６の収納スペースを設けてもよい。くわえて、集中治療室の室数は、３室に限られるものではなく、１室又は２室、さらには４室以上であってもよい。
【００２３】
管路３７は、酸素濃縮器３５と電磁三方弁２０とに接続されており、途中に分岐管路３７ａが接続されている。分岐管路３７ａには電磁開放弁２４が設けられており、先端部は動物用集中治療装置１０に解放されている。電磁開放弁２４は、電磁閉止弁２１、２２及び２３のすべてを閉止したときに、酸素濃縮器３５から供給され続けるガスを管路の外部へ逃がすために設けられている。管路３８は、酸素ボンベ３６と電磁三方弁２０とに接続されており、途中にスピードコントローラ２５が接続されている。スピードコントローラ２５は、酸素ボンベ３６から供給されるガスの流量を調節するものである。電磁三方弁２０は、ガスの下流側になる管路３９ａに対して、制御ユニット３０の制御に応じて上流側の管路３７と管路３８とを選択的に連通させる機能を持つ。したがって、この実施の形態に係る動物用集中治療装置１０では、酸素濃縮器３５と酸素ボンベ３６とから同時にガスを供給することはできない。
【００２４】
電磁三方弁２０には管路３９ａが接続されており、さらに管路３９ａから分岐する管路３９ｂ、管路３９ｃと管路３９ｄがＡ室１１、Ｂ室１２とＣ室１３とにそれぞれ接続されている。さらに、管路３９ｂ、管路３９ｃと管路３９の途中には、電磁閉止弁２１、電磁閉止弁２２と電磁閉止弁２３がそれぞれ設けられている。電磁閉止弁２１、電磁閉止弁２２と電磁閉止弁２３は、制御ユニット３０によって個別に制御され、１つ又は２つを選択的に開放する、さらには、すべて開放する、又は、すべて閉止することが可能である。電磁閉止弁２１、２２及び２３を閉止すると、前述のように、酸素濃縮器３５の運転を継続しているので、３つの電磁閉止弁を閉止する直前に電磁開放弁２４を開放して、ガスを外部に放出する。つまり、本発明の第１の実施の形態に係る動物用集中治療装置１０においては、酸素を供給する管路に、電磁三方弁２０と、電磁閉止弁２１、電磁閉止弁２２及び電磁閉止弁２３との２種類の電磁弁を設け、２種類の電磁弁を制御ユニット３０で適宜作動させることによって、Ａ室１１、Ｂ室１２とＣ室１３のうちのいずれか１室又は２室に対して選択的に酸素を供給する、あるいは、Ａ室１１、Ｂ室１２及びＣ室１３のすべてに対して酸素を供給する又は酸素供給を停止することが可能である。なお、電磁開放弁２４は、Ａ室１１、Ｂ室１２及びＣ室１３のすべてに対して酸素供給を停止したときに開放されるが、酸素供給には直接関与しない弁である。
【００２５】
また、図３に示すように、Ａ室１１、Ｂ室１２及びＣ室１３に対しては、Ａ室温度・湿度センサ７２、Ｂ室温度・湿度センサ７３とＣ室温度・湿度センサ７４、及び、Ａ室用空調ユニット７５、Ｂ室用空調ユニット７６とＣ室用空調ユニット７７がそれぞれ設けられている、Ａ室温度・湿度センサ７２、Ｂ室温度・湿度センサ７３及びＣ室温度・湿度センサ７４は、制御ユニット３０の制御条件となるＡ室１１、Ｂ室１２及びＣ室１３の室温及び室内湿度を検出するためにそれぞれの室内に設けられている。Ａ室用空調ユニット７５、Ｂ室用空調ユニット７６及びＣ室用空調ユニット７７は、制御ユニット３０の制御に応じて、Ａ室１１、Ｂ室１２及びＣ室１３のうちのいずれか１室もしくは２室、又は、３室すべてに対して、冷房、暖房、除湿、送風（換気）の４種類のうち、いずれかの空気調和動作を行う。酸素供給管理パネル７０は、酸素供給状態を表示するパネルである。操作パネル７１は、いわゆるタッチパネルであり、図１に示した酸素供給動作の動作モードを設定する、あるいは、Ａ室１１、Ｂ室１２及びＣ室１３内の雰囲気の酸素濃度の設定値を入力することができ、また、酸素供給に関連する設定情報や警告などを表示する。さらに、空気調和など酸素濃度管理以外の操作モードの設定や情報表示などを行う。なお、これらのもの以外に、集中治療室内の雰囲気の湿度センサや、ドア開放センサ、患者動物を撮影するカメラなどを設けてもよい。また、酸素供給管理パネル７０と操作パネル７１を一体のものにしてもよい。さらに、Ａ室用空調ユニット７５、Ｂ室用空調ユニット７６及びＣ室用空調ユニット７７は、冷房、暖房、除湿、送風（換気）の４種類以外の空気調和動作を行うものであってもよい。
【００２６】
制御ユニット３０は、電磁三方弁２０、電磁閉止弁２１、２２及び２３、電磁開放弁２４、Ａ室温度・湿度センサ７２、Ｂ室温度・湿度センサ７３及びＣ室温度・湿度センサ７４、並びに、Ａ室用空調ユニット７５、Ｂ室用空調ユニット７６と及びＣ室用空調ユニット７７に電気的に接続されており、動物用集中治療装置１０の各種の動作を制御するために設けられている。制御ユニット３０には、ＣＰＵ、メモリ、デコーダＩＣなどを備えており、酸素濃度センサ３１やＡ室温度・湿度センサ７２など各センサからの信号を受信し、受信した酸素濃度、温度及び湿度情報などに基づいて各種の動作を指示する信号を電磁三方弁２０やＡ室用空調ユニット７５などに送出する。また、操作パネル７１から入力された設定情報を記憶し、その設定情報に基づいて制御を行う。さらに、各センサから受信した情報、各種設定情報、各種履歴情報、異常発生情報などを酸素供給管理パネル７０及び操作パネル７１に表示する。なお、制御ユニット３０に対して、酸素濃度などに異常が発生したことをスマートフォンなどに電子メールで知らせる機能、患者動物を撮影するカメラの動画又は動画をスマートフォンなどに送信する機能などを備えてもよい。
【００２７】
図４は、第１の実施の形態に係る動物用集中治療装置の酸素供給手順を示すフロー図（１）である。また、図５は、第１の実施の形態に係る動物用集中治療装置の酸素供給手順を示すフロー図（２）である。さらに、図６は、第１の実施の形態に係る動物用集中治療装置の酸素供給手順を示すフロー図（３）である。くわえて、図７は、第１の実施の形態に係る動物用集中治療装置の酸素供給手順を示すフロー図（４）である。
【００２８】
続けて、本発明の第１の実施の形態に係る動物用集中治療装置１０の酸素供給動作について、動物用集中治療装置１０の使用開始から説明ものである。最初に、図４に示すように、操作パネル７１において、図１に示した各酸素供給モードの選択画面を表示し（Ｓ１）、獣医師などがハイブリッドモードとマニュアルモードとのいずれかを選択できる状態にする。操作パネル７１において、ハイブリッドモードが選択された場合には（Ｓ２）、さらにノーマルモードとアクティブモードとのいずれかを選択できる状態にする。ノーマルモードが選択された場合には（Ｓ３）、制御ユニット３０から電磁三方弁２０に対して、酸素濃縮器３５側の管路３７と管路３９ａとが連通した状態となるように信号を送信し（Ｓ４）、Ｓ４の手順を実行するのと同時に、又は、Ｓ４の手順を実行した直後に電磁開放弁２４を閉止して酸素濃縮器３５から供給されるガスが管路３９ａに送出されるようにする。同時に、Ａ室１１、Ｂ室１２及びＣ室１３に対する酸素供給時間の計測を始める（Ｓ６）。なお、Ａ室１１、Ｂ室１２とＣ室１３とのいずれか１室又は２室の集中治療室に選択的に酸素供給を行う場合には、ここで電磁閉止弁２１、電磁閉止弁２２と電磁閉止弁２３とのうち、供給しない集中治療室の電磁閉止弁を閉止する。
【００２９】
続けて、酸素供給開始から１０分を経過した時点における酸素濃度センサ３１、酸素濃度センサ３２と酸素濃度センサ３３のうち、使用中の集中治療室、つまり患者動物を収容している集中治療室に対応する酸素濃度センサの酸素濃度値を計測し、その濃度が設定値に到達したかどうか判断する（Ｓ７）。なお、酸素供給開始からＳ７の手順を行うまでの時間は、例えば１５分や２０分、２５分に設定するなど、患者動物の状況などに応じて操作パネル７１において適宜設定してもよい。また、設定値に到達した場合には、集中治療室に対する酸素供給を停止するために、電磁開放弁２４を開放し（Ｓ８）、酸素を供給している集中治療室に対応する電磁閉止弁を閉止する（Ｓ９）。集中治療室内の雰囲気の酸素濃度は患者動物の呼吸によって徐々に低下してゆくので、使用中の集中治療室内の雰囲気の酸素濃度が設定値より１％低い所定値以上かどうか酸素濃度センサの測定値を確認する（Ｓ１０）。なお、この所定値は、患者動物の状況などに応じて設定値より０．５％、又は１．５％低い濃度に設定してもよい。設定値以上である場合には測定値の確認を繰り返す。設定値に満たない場合には、図６に示すように、電磁三方弁２０に対して、酸素濃縮器３５側の管路３７と管路３９ａとが連通した状態とし（Ｓ２０）、Ｓ２０の手順を実行するのと同時に、又は、Ｓ２０の手順を実行した直後に電磁開放弁２４を閉止して酸素濃縮器３５から供給されるガスが管路３９ａに送出されるようにする（Ｓ２１）。酸素濃縮器３５から集中治療室へ酸素を供給すると酸素濃度が上昇するので、酸素濃度センサの測定値を確認し（Ｓ２２）、測定値が設定値に満たない場合には測定値の確認を繰り返す。測定値が設定値以上になった場合には、酸素供給を停止するために、電磁開放弁を開放し（Ｓ２３）、続けて使用中の集中治療室に対応する電磁閉止弁を閉止する。そして、図５のＳ１５の手順に進む。
【００３０】
また、図４のＳ７の手順において、酸素供給開始から所定時刻経過後の酸素濃度値が設定値に到達していない場合には、図５に示すように、制御ユニット３０から信号を送信して、電磁開放弁２４を開放し（Ｓ１１）、Ｓ１１の手順を実行するのと同時に、又は、Ｓ１１の手順を実行した直後に酸素ボンベ３６側の管路３８と管路３９ａとが連通するように電磁三方弁２０を切り替える（Ｓ１２）。酸素ボンベ３６から酸素を供給しながら、使用中の集中治療室に対応する酸素濃度センサの酸素濃度値を計測し、その濃度が設定値に到達したかどうか判断する（Ｓ１３）。設定値に到達していない場合には計測を繰り返し、設定値に到達した場合には電磁開放弁２４を閉止する（Ｓ１４）。次に、使用中の集中治療室内の雰囲気の酸素濃度が所定値以上かどうか酸素濃度センサの測定値を確認する（Ｓ１５）。所定値以上である場合には測定値の確認を繰り返す。所定値に満たない場合には、酸素濃縮器３５側の管路３７と管路３９ａとが連通するように電磁三方弁２０を切り替え（Ｓ１６）、Ｓ１６の手順を実行するのと同時に、又は、Ｓ１６の手順を実行した直後に電磁開放弁２４を閉止して（Ｓ１７）、酸素濃縮器３５からの酸素供給を行う。次に、酸素供給を行っているのにも関わらず、使用中の集中治療室内の雰囲気の酸素濃度の計測値が酸素供給前よりも１％以上低下するか、酸素濃縮器３５から酸素供給を開始して５分経過しても酸素濃度に変化がないかのいずれかの条件に一致する場合には、使用中の集中治療室の開閉扉が正しく閉止されていないものと判断し（Ｓ１８）、操作パネル７１での表示、又は、電子メールによる通知によって開閉扉が開放状態にあることを通知する。Ｓ３以降の手順がハイブリッドモード８２のノーマルモード８４で動作させるときの酸素供給手順となる。以上のように、ノーマルモード８４では、主として酸素濃縮器３５から酸素を供給するが、制御ユニット３０における判断結果に応じて酸素ボンベ３６からの供給に切り替えることもある。
【００３１】
ハイブリッドモード８２のアクティブモード８３は、図４のＳ３以降から図７に進む手順となる。すなわち、図７に示すように、制御ユニット３０から電磁三方弁２０に対して、酸素ボンベ３６側の管路３８と管路３９ａとが連通した状態となるように信号を送信する（Ｓ２５）。次に、使用中の集中治療室内の雰囲気の酸素濃度を計測して、計測値が設定値に到達したかどうか確認する（Ｓ２６）。設定値に到達していない場合には、計測値の確認を繰り返し行い、設定値に到達しているならば、使用中の集中治療室に対応する電磁閉止弁を閉止して酸素ボンベ３６からの酸素供給を停止する（Ｓ２７）。患者動物の呼吸によって集中治療室内の雰囲気の酸素濃度は徐々に低下してゆくので、使用中の集中治療室内の雰囲気の酸素濃度が設定値より１％低い所定値以上かどうか酸素濃度センサの測定値を確認する（Ｓ２８）。所定値以上である場合には測定値の確認を繰り返す。所定値に満たない場合には、酸素濃縮器３５側の管路３７と管路３９ａとが連通した状態とし（Ｓ２９）、さらに電磁開放弁２４を閉止して（Ｓ３０）、酸素濃縮器３５から供給されるガスが管路３９ａに送出されるようにする。酸素濃度が設定値より１％強低い程度であれば、酸素濃縮器３５からの酸素供給であっても、短時間のうちに設定値の酸素濃度を回復することが可能である。この実施の形態に係る動物用集中治療装置１０では、このようにして酸素ボンベ３６の使用量を低減している。
【００３２】
次に、酸素供給を行っているのにも関わらず、使用中の集中治療室内の雰囲気の酸素濃度の計測値が酸素供給前よりも１％以上低下するか、酸素濃縮器３５から酸素供給を開始して５分経過しても酸素濃度に変化がないかのいずれかの条件に一致する場合には、使用中の集中治療室の開閉扉が正しく閉止されていないものと判断し（Ｓ３１）、ノーマルモード８４の場合と同様に操作パネル７１での表示、又は、電子メールによる通知によって開閉扉が開放状態にあることを通知する。次に、電磁開放弁２４を開放し（Ｓ３３）、Ｓ３３の手順を実行と同時に、又は、Ｓ３３の手順を実行した直後にＳ２５の手順に戻る。
【００３３】
なお、酸素濃縮器３５と酸素ボンベ３６とを併用するハイブリッドモード８２でなく、敢えて酸素濃縮器３５と酸素ボンベ３６とのいずれかを使用したい場合、あるいは、酸素濃縮器３５の故障、酸素ボンベ３６の酸素残量が不足する場合には、マニュアルモード８５で酸素を供給できる。図４に示すように、Ｓ２の手順において、マニュアルモード８５を選択し、次に酸素ボンベ３６を選択すると（Ｓ３４）、酸素ボンベ３６側の管路３８と管路３９ａとが連通するように電磁三方弁２０を切り替える（Ｓ３５）。酸素濃縮器３５を選択したときには、酸素濃縮器３５側の管路３７と管路３９ａとを連通し（Ｓ３６）、電磁開放弁２４を閉止して（Ｓ３７）、酸素濃縮器３５から供給されるガスが管路３９ａに送出されるようにする。
【００３４】
以上のように、本発明の第１の実施の形態に係る動物用集中治療装置１０は、Ａ室１１、Ｂ室１２及びＣ室１３のうちのいずれか１室もしくは２室、又は、３室すべてを使用するときに、酸素濃縮器３５のみから酸素のみ含む又は周辺大気よりも酸素濃度が高いガスを使用する集中治療室に対して供給し、所定時間の経過時に酸素が不足しているときに、酸素ボンベ３６のみによる供給に切り替えるので、酸素濃縮器３５をその供給能力の及ぶ範囲で使用し、その供給能力が不足している部分を酸素ボンベ３６で補うことが可能となる。ひいては、酸素ボンベ３６の酸素ガスの使用量を低減することができる。また、酸素濃縮器３５をその供給能力の及ぶ範囲で活用することだけでなく、集中治療室内の雰囲気の酸素濃度をできる限り短時間で設定値まで上昇させる使用する即時性を優先した使用もできるようなる。さらに、集中治療室内の雰囲気の酸素濃度が低下したときに、酸素濃度が再び設定値に到達するまで酸素濃縮器３５から酸素を供給するので、集中治療室を長時間継続的に使用する場合においても、酸素ボンベ３６による酸素供給を抑えて患者動物の治療に係るコストを低減することができる。くわえて、集中治療室内の雰囲気の酸素濃度が低下した場合に、酸素濃縮器３５からの酸素供給が不十分なときに酸素ボンベ３６から酸素を供給するので、集中治療室内の雰囲気の酸素濃度を適切に維持することが可能となる。
【００３５】
さらに、本発明の第２の実施の形態に係る動物用集中治療装置について説明する。図８は、第２の実施の形態に係る動物用集中治療装置の酸素供給に関連する構成品のブロック図である。図８において、４０は動物用集中治療装置、４１はＡ室、４２はＢ室、４３は  Ｃ室、５１、５２、５３、５４、５５及び５６は電磁閉止弁、５７は電磁開放弁、５８はスピードコントローラ、６０は制御ユニット、６１、６２及び６３は酸素濃度センサ、６５は酸素濃縮器、６６は酸素ボンベ、６７ａは管路、６７ｂは分岐管路、管路６７ｃ、６７ｄ、６７ｅ、６８ａ、６８ｂ、６８ｃ及び６８ｄは管路である。
【００３６】
第２の実施の形態に係る動物用集中治療装置４０は、酸素濃縮器６５に接続された管路６７ａが電磁三方弁を介さずに、管路６７ｃ、６７ｄ及び６７ｅに接続されている。管路６７ｃ、管路６７ｄと管路６７ｅとの途中には、電磁閉止弁５１、電磁閉止弁５２と電磁閉止弁５３とがそれぞれ設けられている。また、酸素ボンベ６６に接続された管路６８ａも電磁三方弁を介さずに、管路６８ｂ、６８ｃ及び６８ｄに接続されている。管路６８ｂ、管路６８ｃと管路６８ｄとの途中には、電磁閉止弁５４、電磁閉止弁５５と電磁閉止弁５６とがそれぞれ設けられている。管路６７ｃ、６７ｄ及び６７ｅ、並びに、管路６８ｂ、６８ｃ及び６８ｄは、それぞれＡ室４１、Ｂ室４２とＣ室４３とに接続されており、酸素濃縮器６５及び酸素ボンベ６６から送出されるガスを送り込むことができる。なお、分岐管路６７ｂ、電磁開放弁５７、スピードコントローラ５８、制御ユニット６０、酸素濃度センサ６１、６２及び６３、酸素濃縮器６５、酸素ボンベ６６は、第１の実施の形態に係る動物用集中治療装置１０の分岐管路３７ａ、電磁開放弁２４、スピードコントローラ２５、制御ユニット３０、酸素濃度センサ３１、３２及び３３、酸素濃縮器３５、酸素ボンベ３６と同じものである。
【００３７】
この実施の形態に係る動物用集中治療装置４０では、酸素濃縮器６５に繋がる管路と、酸素ボンベ６６に繋がる管路とが別系統に設けられているので、管路の構成が複雑になるが、第１の実施の形態に係る動物用集中治療装置１０と同じ動作をさせることが可能であり、第１の実施の形態に係る動物用集中治療装置１０と同様の効果が得られる。さらに、酸素濃縮器６５と酸素ボンベ６６とから同時に酸素を供給することが可能であるので、集中治療室の使用開始のときなどに、酸素濃縮器６５と酸素ボンベ６６とから同時に酸素を供給することよって、より短時間のうちに集中治療室内の雰囲気の酸素濃度を高めることが可能である。
【００３８】
なお、本発明は、以上に説明した各実施の形態の説明内容に限定されるものではなく、複数の実施の形態の構成を組み合わせるなど、各請求項に記載した範囲を逸脱しない限りにおいて種々の変形を加えることが可能である。
【符号の説明】
【００３９】
１０    動物用集中治療装置
１１    Ａ室
１２    Ｂ室
１３    Ｃ室
２０    電磁三方弁
２１    電磁閉止弁
２２    電磁閉止弁
２３    電磁閉止弁
２４    電磁開放弁
２５    スピードコントローラ
３０    制御ユニット
３１    酸素濃度センサ
３２    酸素濃度センサ
３３    酸素濃度センサ
３５    酸素濃縮器
３６    酸素ボンベ
３７    管路
３８    管路
３９ａ  分岐管路
３９ｂ  管路
３９ｃ  管路
３９ｄ  管路
４０    動物用集中治療装置
４１    Ａ室
４２    Ｂ室
４３    Ｃ室
５１    電磁閉止弁
５２    電磁閉止弁
５３    電磁閉止弁
５４    電磁閉止弁
５５    電磁閉止弁
５６    電磁閉止弁
５７    電磁開放弁
５８    スピードコントローラ
６０    制御ユニット
６１    酸素濃度センサ
６２    酸素濃度センサ
６３    酸素濃度センサ
６５    酸素濃縮器
６６    酸素ボンベ
６７ａ  管路
６７ｂ  分岐管路
６７ｃ  管路
６７ｄ  管路
６７ｅ  管路
６８ａ  管路
６８ｂ  管路
６８ｃ  管路
６８ｄ  管路
７０    酸素供給管理パネル
７１    操作パネル
７２    Ａ室温度・湿度センサ
７３    Ｂ室温度・湿度センサ
７４    Ｃ室温度・湿度センサ
７５    Ａ室用空調ユニット
７６    Ｂ室用空調ユニット
７７    Ｃ室用空調ユニット
７８    Ａ室用ヒータ
７９    Ｂ室用ヒータ
８０    Ｃ室用ヒータ
８１    酸素供給動作
８２    ハイブリッドモード
８３    アクティブモード
８４    ノーマルモード
８５    マニュアルモード
８６    酸素濃縮器使用
８７    酸素ボンベ使用
９０    動物用集中治療装置
９１    Ｃ室
９１ａ  開閉扉
９２    Ｂ室
９２ａ  開閉扉
９３    Ａ室
９３ａ  開閉扉
９４    制御・空調ユニット室
９５    開閉扉
９６    操作パネル
９７    酸素供給管理パネル
９８    酸素濃縮器管路接続口
９９    酸素ボンベ管路接続口
【図１】
0006360394.tif 000002
【図２】
0006360394.tif 000003
【図３】
0006360394.tif 000004
【図４】
0006360394.tif 000005
【図５】
0006360394.tif 000006
【図６】
0006360394.tif 000007
【図７】
0006360394.tif 000008
【図８】
0006360394.tif 000009
【図９】
0006360394.tif 000010